(57)【特許請求の範囲】
【請求項１】
机の天板の下方に左右方向に設けられ、内部にコード類の収納空間を有し、前面が左右方向に略直線状に開口するチャンネル形状の第１ダクトと、該第１ダクトの下部にあって、左右方向に設けられる樋状の第２ダクトとからなり、前記第１ダクトの前面開口には、コンセント、通信コネクター、電話線コネクターのうち少なくとも１個が左右方向に摺動自在に嵌合され、前記樋状の第２ダクトは、前記コンセント、通信コネクター、電話線コネクターよりも下部に、かつ、これらコンセント、通信コネクター、電話線コネクターの前面よりも前方に張り出すように延設され、その底面には各コードが這設されていることを特徴としてなるコンセント取付部を備える机の配線ダクト装置。
【発明の詳細な説明】
【０００１】
【発明の属する技術分野】
本発明は、机の天板の下方の左右脚間に設けられた配線ダクト装置に係わり、特にコンセント取付部を備える机の配線ダクト装置に関する。
【０００２】
【従来の技術】
従来、ＯＡ機器等のコードプラグを接続するコンセントを取付けた机として実開昭６１−１７０３３１号公報、及び実開平７−３３６５号公報等がある。
【０００３】
【発明が解決しようとする課題】
前者の考案は、天板の下面に、下面が開口して左右方向を向くチャンネル状のコンセント取付部が設けられ、該コンセント取付部に沿って移動自在にコンセントを設けたものであるが、コンセントに差込むプラグと接続するコードは、支持する部分がないため、天板の下面に垂れ下がってしまい、見苦しく、かつ机の使用者や机の傍らを通る人の邪魔になるという欠点があった。
【０００４】
また、後者の考案は、天板の下方に、前面が開口して左右方向を向くコ字状の配線ダクトを設けるとともに、該配線ダクトの垂直面にコンセント取付部を設け、該コンセント取付部にコンセントを取付可能としたものであるが、このコンセント取付部にコンセントを取付けると、コンセントのプラグ差込口が、配線ダクトの前面開口より奥方に位置するため、コンセントへのプラグの差し抜きが煩雑であるばかりか、配線ダクト内にコンセントが設けられると、コンセント自体とそれに差込まれるプラグとが、配線ダクト内の左右方向配線の邪魔になるという欠点があった。
【０００５】
本発明はこのような問題点に着目してなされたもので、コンセントへのプラグの差し抜きが行い易く、また、コンセントとそれに差込まれるプラグとが、配線ダクト内の左右方向配線の邪魔になることがなく、かつコード類を体裁よく配線できるコンセント取付部を備える机の配線ダクト装置を提供することを目的としている。
【０００６】
【課題を解決するための手段】
上記目的を達成するために、本発明のコンセント取付部を備える机の配線ダクト装置は、机の天板の下方に左右方向に設けられ、内部にコード類の収納空間を有し、前面が左右方向に略直線状に開口するチャンネル形状の第１ダクトと、該第１ダクトの下部にあって、左右方向に設けられる樋状の第２ダクトとからなり、前記第１ダクトの前面開口には、コンセント、通信コネクター、電話線コネクターのうち少なくとも１個が左右方向に摺動自在に嵌合され、前記樋状の第２ダクトは、前記コンセント、通信コネクター、電話線コネクターよりも下部に、かつ、これらコンセント、通信コネクター、電話線コネクターの前面よりも前方に張り出すように延設され、その底面には各コードが這設されていることを特徴としている。
この特徴によれば、コンセントやコネクターと、それに差し込まれるプラグとが、配線用の第２ダクト内に配線されたコードと干渉しないため、左右方向に多量の配線が可能になるとともに、コンセントやコネクターを適宜左右に自由に移動できるため、配線が密集している部分を避けてコンセントやコネクターを適当な場所に位置決めできる。また、コンセントやコネクターに差込まれたプラグより延出されるコードを見栄えよく収納することができるとともに、これらコードを急角度で折り曲げずに済む。
【０００９】
【発明の実施の形態】
以下、本発明の実施例を図面に基づいて説明すると、まず図１には本発明実施例の机の使用状態を示す斜視図が示されており、図中１は机の天板、２は天板１の両端を支持する脚体、３は天板の１の後方に位置し、前記左右両脚体２間に配設される後面板をそれぞれ示しており、前記天板１上にはパソコン４及び電話機５等が載置されている。これらパソコン４、電話機５より延出される種々のコード４ａ、５ａはそれぞれ天板１上に設けられた配線カバー６の通孔６ａを介して天板１の裏面に導かれるようになっている。
【００１０】
左右の脚体２は、特に図１〜図３に示されるように、天板１裏面に固設される上部フレーム７と、床面に接地する脚部としての下部フレーム８と、該上・下部フレーム７、８の上・下面にそれぞれ固着される水平部材９、１０と、該水平部材９、１０間前後端に配設される垂直部材１１、１２と、脚体２の側面を構成する内側板１３、外側板１４とから構成され、前記上・下部フレーム７、８は互いに長寸のボルト１５及びナット１５ａを介して連結固定されるようになっている。
【００１１】
上・下部フレーム７、８間垂直方向には、前記水平部材９、１０と、垂直部材１１、１２及び内側板１３、外側板１４により覆われる空間部Ｓ（図２、３参照）が形成されるようになっている。そして本実施例において特に図１中左側の脚体２の内側にある内側板１３は、特に図３に示されるようにその上下端に形成された案内溝１７を介して上下の水平部材９、１０の対向面にそれぞれ突設されたガイドレール１６に摺動自在に嵌合されているため、内側板１３を前方に移動すれば空間部Ｓの内向き側が開口されるようになっている。さらに前記内側板１３の後端上、下部にはそれぞれ切欠き部１８が形成されており、この切欠き部１８がコード類の通孔として機能するようになっている。
【００１２】
また、空間部Ｓ内には図２、図３のように、略Ｌ字形状のコードフック２０が、内側板１３を閉塞した際に前記コードフック２０の少なくとも下半部が切欠き部１８より外部に望むように水平部材９の所定箇所に形成された凹部９ａ内から吊設されている。
【００１３】
このコードフック２０は断面略円形状の棒材で形成されているので、コード類を切欠き部１８の周縁に引掛けることなく滑らかに移動させることができるようになっている。
【００１４】
後面板３の前面上部には、特に図４に示されるように前面が開口するチャンネル形状の第１ダクト２１（コンセント取付ダクト）と、該第１ダクト２１の下部に設けられるとともに上方が開口する樋状の第２ダクト２２（配線ダクト）と、からなる配線ダクト装置２３が机の奥の左右方向に架設されており、天板１の裏面に挿通されたコード類を水平方向に配線できるようになっている。
【００１５】
前記第１ダクト２１の開口縁２１ａには、コンセント２４がその上下面に形成された案内溝２５（図４、５参照）を介して左右方向に摺動自在に嵌合されている。そして前記コンセント２４の後方より延出する電源コード２４ａは、第１ダクト２１内の収納空間３０を通り、切欠き部１８を介して空間部Ｓ内に収納されている。
【００１６】
前記第２ダクト２２は、その底面とコンセント２４の下面との距離Ｌが、所定長さを保持するように形成されているので、コンセント２４及びその差込口２６に差込まれるプラグ２７が、第２ダクト２２内に配線されるコード４ａ等の邪魔にならないようになっている。
【００１７】
また、上面開口する樋状の第２ダクト２２は、コンセント２４より下部に、かつ該コンセント２４の前面より前方位置に形成されるので、移動するコンセント２４の差込口２６に差込まれるプラグ２７より下方に垂れるコードも体裁よく収納しておくことができるとともに、コードを急角度で折り曲げる必要もない。
【００１８】
このように構成された本発明実施例の机における配線方法を図面に基づいて説明していくと、まず図１に示されるように天板１上に載置された電話機５やパソコン４等の種々のコード類は前述したように配線カバー６の通孔６ａを介して天板１裏面に挿通できるようになっている。
【００１９】
天板１裏面に挿通されたコード類のうち特に図中右側にあるパソコン４のコード４ａは、第２ダクト２２を介して図中右側から左側に向って水平に配線される。ここで適宜電源用のコードのプラグ２７はコンセント２４の差込口２６に差込まれる。
【００２０】
次にコード４ａを垂直方向に配線するには、図２中２点鎖線で示されるように内側板１３を前方に所定距離移動させ、脚体２の空間部Ｓ内側面を開放し、コード４ａをコンセント２４のコード２４ａとともにコードフック２０に懸吊させる。ここで余剰コードを束ねたりする等の処理を施し、空間部Ｓ内に収めておくことが好ましい。そしてこれらコード４ａ、２４ａの下端が図示しない切欠き部より外部に挿通するように内側板１３を閉塞すればよい。
【００２１】
以上説明してきたように本発明実施例の机にあっては、配線ダクト装置２３がコンセント２４を有する第１ダクト２１と、該第１ダクト２１下部に所定距離をもって設けられる第２ダクト２２とから構成されていることにより、前記第２ダクト２２内にコード等を配線する際にコンセント２４自体、又はコンセント２４に差込まれるプラグ２７等が邪魔になることがない。またコンセント２４前面近傍が第２ダクト２２等により閉塞されることがないので、コンセント２４へのプラグ２７の抜き差しが行い易くなる。
【００２２】
図５には本発明の他の実施例が示され、電源に代えて信号を伝送するためのコネクターを備えたものであり、基本的には第１の実施例と同様である。即ち、前記第１ダクト２１の開口縁２１ａには、プラグ２７’の差込口２６’を有する通信コネクター２８がその上下面に形成された案内溝２５を介して左右方向に摺動自在に嵌合されている。そして前記通信コネクター２８の後方より延出する通信コード２８ａは、第１ダクト２１内の収納空間３０を通り、図２に示されるように切欠き部１８を介して空間部Ｓ内に収納されている。
【００２３】
図６は本発明の更に他の実施例を示したものであり、前記第１ダクト２１の開口縁２１ａには、プラグ２７”の差込口２６”を有する電話線コネクター２９がその上下面に形成された案内溝２５を介して左右方向に摺動自在に嵌合されている。そして前記電話線コネクター２９の後方より延出する電話コード２９ａは、第１ダクト２１内の収納空間３０を通り、図２に示されるように切欠き部１８を介して空間部Ｓ内に収納されている。
【００２４】
また、図７にはこれらコンセント２４、通信コネクター２８そして電話線コネクター２９を、全て一本の第１ダクト２１の開口縁２１ａに摺動自在に組み付けた状態が示されており、このようにすれば机の左右から延びるコードの長さ、または使用機器に応じてコンセントやコネクターを自由に適宜位置に移動できる。また、必要に応じてコンセントやコネクターの増設も可能である。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
【発明の効果】
本発明は次の効果を奏する。
【００２７】
（ａ）請求項１の発明によれば、コンセントやコネクターと、それに差し込まれるプラグとが、配線用の第２ダクト内に配線されたコードと干渉しないため、左右方向に多量の配線が可能になるとともに、コンセントやコネクターを適宜左右に自由に移動できるため、配線が密集している部分を避けてコンセントやコネクターを適当な場所に位置決めできる。また、コンセントやコネクターに差込まれたプラグより延出されるコードを見栄えよく収納することができるとともに、これらコードを急角度で折り曲げずに済む。
【００３０】
【図面の簡単な説明】
【図１】  本発明実施例の配線ダクトを備える机の使用状態を表わす一部破断斜視図である。
【図２】  図１のＡ−Ａ断面図である。
【図３】  図２のＢ−Ｂ断面図である。
【図４】  図１の要部拡大斜視図である。
【図５】  図４に対応する第２実施例の斜視図である。
【図６】  図４に対応する第３実施例の斜視図である。
【図７】  第１、第２、第３実施例を組合わせた使用状態を示す正面図である。
【符号の説明】
１                  天板
２                  脚体
３                  後面板
４                  パソコン
５                  電話機
４ａ、５ａ、２４ａ  コード
６                  配線カバー
６ａ                通孔
７                  上部フレーム
８                  下部フレーム
９、１０            水平部材
１１、１２            垂直部材
１３                  内側板（カバー体）
１４                  外側板
１５                  ボルト
１５ａ                ナット
１６                  ガイドレール（レール部）
１７                  案内溝
１８                  切欠き部
２０                  コードフック
２１                  第１ダクト
２１ａ                開口縁
２２                  第２ダクト
２３                  配線ダクト装置
２４                  コンセント
２５                  案内溝
２６、２６’、２６”  差込口
２７、２７’、２７”  プラグ
２８                  通信コネクター
２９                  電話線コネクター
２８ａ、２９ａ        コード
３０                  収納空間
【図１】
0003691585.tif 000002
【図２】
0003691585.tif 000003
【図３】
0003691585.tif 000004
【図４】
0003691585.tif 000005
【図５】
0003691585.tif 000006
【図６】
0003691585.tif 000007
【図７】
0003691585.tif 000008